【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
焦点調節レンズと該焦点調節レンズを駆動する手段と、を有する撮影レンズ装置と着脱可能で且つ通信可能に接続されるカメラにおいて、
撮像手段と、
前記撮像手段により得られる撮像信号から抽出した高周波成分に応じて合焦位置を検出する焦点検出手段と、を有し、
前記焦点検出手段は、前記焦点調節レンズの駆動に関する情報を前記撮影レンズ装置に送信した後、前記駆動に関する情報に基づいた焦点調節レンズの駆動を開始する旨を前記撮影レンズ装置に送信することを特徴とするカメラ。
【請求項２】
前記焦点調節レンズの駆動に関する情報は、駆動周期および駆動量であることを特徴とする請求項１に記載のカメラ。
【請求項３】
前記焦点検出手段は、前記焦点調節レンズを所定駆動量だけ駆動するのに要する時間データまたは所定時間内に駆動可能な駆動量データを予め前記撮影レンズ装置から受信し、
該時間データまたは駆動量データに基づき前記焦点調節レンズの駆動に関する情報を決定することを特徴とする請求項１または２に記載のカメラ。
【請求項４】
前記焦点検出手段は、前記合焦位置の検出のための焦点調節レンズの駆動を開始および停止する旨を前記撮影レンズ装置に送信することを特徴とする請求項１〜３のいずれか１つに記載のカメラ。
【請求項５】
前記焦点調節レンズの駆動に関する情報は、駆動の回数を含み、前記焦点検出手段は、前記合焦位置の検出のための焦点調節レンズの駆動を停止する旨の送信を行わないことを特徴とする請求項１〜３のいずれか１つに記載のカメラ。
【手続補正２】
【補正対象書類名】明細書
【補正対象項目名】０００２
【補正方法】変更
【補正の内容】
【０００２】
自動焦点調節機能（ＡＦシステム）のための焦点調節状態の検出方式として、位相差検出方式とコンラスト検出方式がある。
位相差検出方式によるＡＦシステムは、概略以下のように動作する。
すなわち、撮影レンズから入射した光は、撮影光軸に対して４５度の傾きで配置された半透過メインミラーの背面に取り付けられたサブミラーによって、カメラ下方に反射され、２次光学系のレンズによって２つの像に分離されて、一対のＡＦセンサに入射する。これら一対のＡＦセンサは横並びに配置されており、これら一対のＡＦセンサ上に形成される２像の間隔の差によって、合焦状態、前ピン状態および後ピン状態を判定する。そして、この像間隔が合焦状態の間隔になるように焦点調節レンズ（フォーカスレンズ）を移動させてピント合わせをする。つまり、２像のずれ量と像面移動量（デフォーカス量）との関係は光学系によって決まっているので、そのずれ量からデフォーカス量を求める。そしてこのデフォーカス量とレンズ固有情報（敏感度係数、開放ＦＮｏ等）からレンズの繰り出し量を求め、焦点調節レンズを移動させて合焦を得る。
【手続補正３】
【補正対象書類名】明細書
【補正対象項目名】００１７
【補正方法】変更
【補正の内容】
【００１７】
本発明によれば、カメラがレンズへ駆動（ウォブリング駆動）に関するデータ（例えばフォーカスレンズ駆動量、および駆動・停止の周期）を送信した後、駆動開始命令を送信することにより、レンズが受信したデータをもとにフォーカスレンズの駆動を行う構成とすることにより、焦点検出動作の際の通信量を削減し他の機能制御を支障無く行うことができる。
【手続補正４】
【補正対象書類名】明細書
【補正対象項目名】００２３
【補正方法】変更
【補正の内容】
【００２３】
ＡＦ処理回路１０８においては、デジタル映像信号の一画面分の画像データに含まれる高周波成分がハイパスフィルタ（ＨＰＦ）等を介して抽出され、これに対して累積加算の演算処理等が行なわれる。これによって高域側の輪郭成分量等に対応するＡＦ評価値が算出され、いわゆるコントラスト検出方式による撮影レンズ２００の焦点調節状態の検出（以下、合焦位置検出という）を可能とする。そして、このＡＦ評価値はカメラＣＰＵ１１０に出力される。このように、カメラ本体１００においては、コントラスト検出方式で撮影レンズ２００の合焦位置検出を行う。
【手続補正５】
【補正対象書類名】明細書
【補正対象項目名】００２４
【補正方法】変更
【補正の内容】
【００２４】
カメラ本体１００内において、１０４は測光回路であり、測光情報をカメラＣＰＵ１１０へと伝達する。１０６は２段スイッチを有し、１段目スイッチのオンにより測光、合焦位置検出および焦点調節動作を開始させる信号（ＳＷ１信号）を出力し、２段目スイッチのオンにより撮像素子１０７による撮像（露光）開始を開始させる信号（ＳＷ２信号）をカメラＣＰＵ１１０に出力するレリーズスイッチ回路である。
【手続補正６】
【補正対象書類名】明細書
【補正対象項目名】００２６
【補正方法】変更
【補正の内容】
【００２６】
次に、上記カメラにて採用されているコントラスト検出方式ＡＦでのカメラＣＰＵ１１０の動作シーケンスについて図２を用いて説明する。
［ステップ２０１］不図示のカメラのメインスイッチがＯＮされることにより本シーケンスが開始される。
［ステップ２０２］カメラＣＰＵ１１０は、カメラ本体１００に設けられたレリーズスイッチ回路１０６のスイッチが半押しされてＳＷ１がＯＮ状態になったかどうかを判断する。ＯＮならばステップ２０３へ、ＯＦＦならば待機する。
［ステップ２０３］カメラＣＰＵ１１０はレンズへ通信回路を介しフォーカスレンズ（焦点調節レンズ）を駆動する方向、駆動量、および駆動・停止の周期を送信する。
【手続補正７】
【補正対象書類名】明細書
【補正対象項目名】００２７
【補正方法】変更
【補正の内容】
【００２７】
［ステップ２０４］各フォーカスレンズ位置において撮像信号から高周波成分を抽出する回数をカウントするカウンターを０に初期化する。
［ステップ２０５］カメラＣＰＵ１１０は通信回路１０２、２１１を介しレンズＣＰＵ２０７へウォブリング駆動開始命令（駆動を開始する旨）を送信し、レンズは受信したタイミングからステップ２０３で受信したデータをもとにフォーカスレンズの駆動を開始する。
［ステップ２０６］カメラＣＰＵ１１０はレンズの停止したタイミング毎に、撮像素子から出力された撮像信号を取り込み、取り込んだ撮像信号から高周波成分を抽出し、抽出した高周波成分のデータをメモリバッファに一時保存し、カウンターを１インクリメントする。
［ステップ２０７］カウンター値が６であればステップ２０８へ移行し、６未満であれば２０６へ移行する。
【手続補正８】
【補正対象書類名】明細書
【補正対象項目名】００２８
【補正方法】変更
【補正の内容】
【００２８】
［ステップ２０８］カメラＣＰＵ１１０は通信回路１０２、２１１を介しレンズＣＰＵ２０７へウォブリング駆動停止命令（駆動を停止する旨）を送信し、レンズはフォーカスレンズの駆動を停止する。
［ステップ２０９］ステップ２０６で保存した高周波成分のデータから合焦判定を行う。合焦と判定した場合ステップ２０９へ移行し、非合焦と判定した場合レンズの駆動方向を決定しステップ２０３移行し再度動作を行う。
［ステップ２１０］カメラはシャッターを制御しフィルムを適当な時間露光し撮影を完了する。
【手続補正９】
【補正対象書類名】明細書
【補正対象項目名】００３１
【補正方法】変更
【補正の内容】
【００３１】
［実施例の変形例］
なお、上記の実施例ではウォブリング駆動開始通信によりレンズがフォーカスレンズのウォブリング駆動を開始した後、カメラＣＰＵが撮像信号から高周波成分を抽出する回数をカウントし所望のカウント値となった時点でウォブリング駆動停止通信を行いレンズがフォーカスレンズのウォブリング駆動を停止するものとしたが、他のウォブリング駆動に関する通信（フォーカスレンズを駆動する方向と駆動量、および駆動・停止の周期）と共に予めウォブリング回数（駆動回数）を送信し、レンズが受信したウォブリング回数を駆動した後に駆動を停止するようにしてウォブリング駆動停止命令通信を削除しても良い。即ち、フォーカスレンズの駆動に関する情報に駆動回数を含む場合は、合焦位置検出のためのフォーカスレンズの駆動を停止する旨の送信を省略することができる。